(57)【要約】【課題】従来のおすすめ番組リストと比較して、より利便性の高い番組情報をユーザに提供可能であるシステムおよび方法を提供する。【解決手段】実施形態によれば、システムは、嗜好情報に対応する複数の番組の番組情報を表示するための第１操作を受け付ける受信部と、前記第１操作の受け付けに応じて、嗜好情報に対応する複数の番組のうち、当該第１操作を受け付けた第１時刻に放送中の第１番組又は前記第１番組に続いて放送される第２番組を少なくとも１以上含む複数の番組の番組情報を出力する処理部３３０とを備える。【選択図】図１
2015228583.tif 000002
【特許請求の範囲】
【請求項１】
嗜好情報に対応する複数の番組の番組情報を表示するための第１操作を受け付ける受信部と、
前記第１操作の受け付けに応じて、嗜好情報に対応する複数の番組のうち、当該第１操作を受け付けた第１時刻に放送中の第１番組又は前記第１番組に続いて放送される第２番組を少なくとも１以上含む複数の番組の番組情報を出力する処理部とを備えるシステム。
【請求項２】
前記処理部は、前記第１操作の受け付けに応じて、前記第１時刻を含む第１時間帯に放送される複数の番組のうち嗜好情報に対応する前記第１番組と、前記第１時間帯の後の第２時間帯に放送される複数の番組のうち嗜好情報に対応する前記第２番組と、前記第２時間帯の後の第３時間帯に放送される複数の番組のうち嗜好情報に対応する第３番組との番組情報を少なくとも出力する、請求項１に記載のシステム。
【請求項３】
前記第１番組の番組情報と前記第２番組の番組情報と前記第３番組の番組情報とを表示可能なディスプレイをさらに備え、
前記ディスプレイは、ユーザの操作に応じて、
前記第１番組に代えて、前記第１時間帯に放送される複数の番組のうち嗜好情報に対応する他の番組の番組情報を表示するか、又は、
前記第２番組に代えて、前記第２時間帯に放送される複数の番組のうち嗜好情報に対応する他の番組の番組情報を表示するか、又は、
前記第３番組に代えて、前記第３時間帯に放送される複数の番組のうち嗜好情報に対応する他の番組の番組情報を表示するか、少なくとも１つを行う請求項２に記載のシステム。
【請求項４】
前記処理部は、前記第１時刻が早朝、朝、夜、又は深夜のいずれかに対応する時間帯にに含まれる場合に、前記第２時間帯に放送される番組又は前記第３時間帯に放送される番組の少なくとも一方の番組情報の出力に代えて、他の時間帯に放送される番組の番組情報を出力する、請求項２に記載のシステム。
【請求項５】
前記処理部は、前記第１操作の受け付けた第１時刻に、前記第１番組自体が視聴中であるか、広告が視聴中であるかに応じて、少なくとも前記第１番組の番組情報を出力するか、又は少なくとも前記第２番組の番組情報を出力するか切り替えて実行する、請求項１に記載のシステム。
【請求項６】
前記処理部は、テレビジョン受信機に設けられ、
前記受信部は、前記テレビジョン受信機とは異なる携帯端末に設けられる、請求項１に記載のシステム。
【請求項７】
前記受信部と前記処理部とは、遠隔のサーバに設けられており、
前記処理部によって出力される番組情報は、ユーザのテレビジョン受信機及び又は携帯端末のディスプレイに表示されるために用いられる、請求項１に記載のシステム。
【請求項８】
嗜好情報に対応する複数の番組の番組情報を表示するための第１操作を受け付け、
処理部を用いて、前記第１操作の受け付けに応じて、嗜好情報に対応する複数の番組のうち、当該第１操作を受け付けた第１時刻に放送中の第１番組又は前記第１番組に続いて放送される第２番組を少なくとも１以上含む複数の番組の番組情報を出力する方法。
【請求項９】
処理部を用いて、前記第１操作の受け付けに応じて、前記第１時刻を含む第１時間帯に放送される複数の番組のうち嗜好情報に対応する前記第１番組と、前記第１時間帯の後の第２時間帯に放送される複数の番組のうち嗜好情報に対応する前記第２番組と、前記第２時間帯の後の第３時間帯に放送される複数の番組のうち嗜好情報に対応する第３番組との番組情報を少なくとも出力する請求項８に記載の方法。
【請求項１０】
前記第１番組の番組情報と前記第２番組の番組情報と前記第３番組の番組情報とを表示可能なディスプレイを用いて、ユーザの操作に応じて、
前記第１番組に代えて、前記第１時間帯に放送される複数の番組のうち嗜好情報に対応する他の番組の番組情報を表示するか、又は、
前記第２番組に代えて、前記第２時間帯に放送される複数の番組のうち嗜好情報に対応する他の番組の番組情報を表示するか、又は、
前記第３番組に代えて、前記第３時間帯に放送される複数の番組のうち嗜好情報に対応する他の番組の番組情報を表示するか、少なくとも１つを行う請求項９に記載の方法。
【請求項１１】
処理部を用いて、前記第１時刻が早朝、朝、夜、又は深夜のいずれかに対応する時間帯に含まれる場合に、前記第２時間帯に放送される番組又は前記第３時間帯に放送される番組の少なくとも一方の番組情報の出力に代えて、他の時間帯に放送される番組の番組情報を出力する請求項９に記載の方法。
【請求項１２】
コンピュータを動作させるプログラムであって、
嗜好情報に対応する複数の番組の番組情報を表示するための第１操作を受け付けさせる第１命令と、
前記第１操作の受け付けに応じて、嗜好情報に対応する複数の番組のうち、当該第１操作を受け付けた第１時刻に放送中の第１番組又は前記第１番組に続いて放送される第２番組を少なくとも１以上含む複数の番組の番組情報を出力させる第２命令とを有した、コンピュータを機能させるプログラム。
【請求項１３】
前記第２命令は、前記第１操作の受け付けに応じて、前記第１時刻を含む第１時間帯に放送される複数の番組のうち嗜好情報に対応する前記第１番組と、前記第１時間帯の後の第２時間帯に放送される複数の番組のうち嗜好情報に対応する前記第２番組と、前記第２時間帯の後の第３時間帯に放送される複数の番組のうち嗜好情報に対応する第３番組との番組情報を少なくとも出力させる命令である、請求項１２に記載のプログラム。
【請求項１４】
前記第１番組の番組情報と前記第２番組の番組情報と前記第３番組の番組情報とを表示可能なディスプレイに対して、ユーザの操作に応じて、
前記第１番組に代えて、前記第１時間帯に放送される複数の番組のうち嗜好情報に対応する他の番組の番組情報を表示するか、又は、
前記第２番組に代えて、前記第２時間帯に放送される複数の番組のうち嗜好情報に対応する他の番組の番組情報を表示するか、又は、
前記第３番組に代えて、前記第３時間帯に放送される複数の番組のうち嗜好情報に対応する他の番組の番組情報を表示するか、少なくとも１つを行わせる命令を有する、請求項１３に記載のプログラム。
【請求項１５】
前記第１時刻が早朝、朝、夜、又は深夜のいずれかに対応する時間帯に含まれる場合に、前記第２時間帯に放送される番組又は前記第３時間帯に放送される番組の少なくとも一方の番組情報の出力に代えて、他の時間帯に放送される番組の番組情報を出力させる命令をさらに有する請求項１３に記載のプログラム。
【請求項１６】
前記第１操作の受け付けた第１時刻に、前記第１番組自体が視聴中であるか、広告が視聴中であるかに応じて、少なくとも前記第１番組の番組情報を出力するか、又は少なくとも前記第２番組の番組情報を出力するか切り替えて実行させる命令をさらに有する請求項１２に記載のプログラム。
【発明の詳細な説明】
【技術分野】
【０００１】
本実施形態は、番組の情報を提示するためのシステム、方法、及びプログラムに関する。
【背景技術】
【０００２】
テレビ放送のデジタル化によって、放送コンテンツのみならずコンテンツに付随した様々な情報を受信可能となった。放送コンテンツの他に送信される情報としては、例えば、電子番組ガイド（ＥＰＧ：Electric  Program  Guide）情報がある。近年、これらの情報を利用した様々な視聴サービスを提供するテレビジョン受信装置が開発されている。
【０００３】
上記テレビジョン受信装置の例としては、番組の視聴履歴からユーザの嗜好性を判断し、電子番組ガイド情報に基づいて、ユーザの嗜好に適したテレビ番組を推薦する番組情報提供装置がある。また、一定時間以内に放送が開始される番組を電子番組ガイドから抽出してユーザに提示する番組情報検索装置もある。
【先行技術文献】
【特許文献】
【０００４】
【特許文献１】特開２０１０−２８３６５６号公報
【特許文献２】特開２０１０−２５１９３３号公報
【特許文献３】特開２０１２−２３６３６号公報
【発明の概要】
【発明が解決しようとする課題】
【０００５】
しかしながら、上記番組情報提供装置では、ユーザの嗜好に適合し、且つ直ちに視聴可能な番組が提示されない場合があるという問題があった。
【０００６】
本発明の一形態が解決しようとする課題は、利便性の高い番組情報をユーザに提供可能であるシステムおよび方法を提供することである。
【課題を解決するための手段】
【０００７】
実施形態のシステムは、嗜好情報に対応する複数の番組の番組情報を表示するための第１操作を受け付ける受信部と、前記第１操作の受け付けに応じて、嗜好情報に対応する複数の番組のうち、当該第１操作を受け付けた第１時刻に放送中の第１番組又は前記第１番組に続いて放送される第２番組を少なくとも１以上含む複数の番組の番組情報を出力する処理部とを備える。
【図面の簡単な説明】
【０００８】
【図１】図１は、第１の実施形態のシステムの例を示す構成図である。
【図２】図２は、おすすめ番組リストの一例を示す図である。
【図３】図３は、おすすめ番組リストの他の例を示す図である。
【図４】図４は、第１の実施形態のシステムがおすすめ番組リストを表示する際の動作を概略的に表したブロック図である。
【図５】図５は、おすすめ番組リストのさらに他の例を示す図である。
【図６】図６は、おすすめ番組リストのさらに又他の例を示す図である。
【図７】図７は、おすすめ番組リストの又他の例を示す図である。
【図８】図８は、第２の実施形態のシステムの例を示す構成図である。
【図９】図９は、第２の実施形態のシステムがおすすめ番組リストを表示する際の動作を概略的に表したブロック図である。
【発明を実施するための形態】
【０００９】
以下に、種々の実施の形態について図面を参照して説明する。
【００１０】
（第１の実施形態）
図１は、本実施形態を適用したシステム１００（テレビジョン受信装置またはパーソナルコンピュータ）の構成例を示すブロック図である。デジタルチューナ装置１０２は、例えば、スクランブルされたデジタル地上波放送信号を受信する複数のチューナを含む。デジタルチューナ装置１０２は、例えば、衛星（ＢＳ／ＣＳ）デジタル放送受信用のチューナ（図示せず）を含んでも良い。例えば、デジタルチューナ装置１０２は、８個のチューナを含み、それぞれのチューナは異なる放送波信号を並行に処理することができる。
【００１１】
デジタルチューナ装置１０２が含む複数のチューナのそれぞれは、取得した複数のチャンネルの各Transport Stream（ＴＳ）を、ＴＳ処理部１２２に入力する。各ＴＳは、各チャンネルの放送番組のパケット列を含む。各パケットは、パケット識別情報および番組のデジタルコンテンツを含む。また、制御情報などを含むパケットも存在する。
【００１２】
ＴＳ処理部１２２は、複数のチャンネルのＴＳが１つのＴＳとなるように、ＴＳを多重する。多重されたＴＳは、各チャンネルの放送番組のパケット列を含む。各チャンネルのパケットには、チャンネル及びパケット識別用の識別情報が付加されている。
【００１３】
多重されたＴＳは、記憶装置１１１に入力され、格納されることができる。また、ＴＳ処理部１２２に入力されるＴＳの中で、制御情報を含むパケットは、制御部２００に入力されて処理される。
【００１４】
記憶装置１１１は、例えば、ハードディスクドライバー、光ディスク記録再生装置を含む。光ディスクには、デジタルバーサタイルディスク（ＤＶＤ（登録商標）），ブルーレイディスク（ＢＤ（登録商標））などが含まれる。
【００１５】
ＴＳ処理部１２２から制御部２００へ送られるパケットが含む制御情報として、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報がある。
【００１６】
パケットに含まれる映像データは、例えば、ＭＰＥＧ(Moving Picture Expert Group)方式またはＡＶＣ(Advanced Video Coding)方式を利用してエンコードされている。また、オーディオパケット内のオーディオデータは、例えば、ＰＣＭ(Pulse Code Modulation)方式、Ｄｏｌｂｙ方式またはＭＰＥＧ方式を利用してエンコードされている。
【００１７】
ＴＳ処理部１２２は、制御部２００からの制御信号に基づいて、記憶装置１１１またはデジタルチューナ装置１０２からＴＳを選択して、再生動作を実施することができる。換言すれば、ＴＳ処理部１２２は、制御部２００からの制御信号に基づいて、再生すべき番組のオーディオデータを含むオーディオパケットと、再生すべき番組の映像データを含む映像パケットとを分離することができる。
【００１８】
ＴＳ処理部１２２においてパケット列から分離された、オーディオデータを含むオーディオパケットは、オーディオデコーダ１２３に入力されて、符号化方式に応じた復号化が実施される。オーディオデコーダ１２３でデコードされたオーディオデータは、オーディオデータ処理部１２４において、同期処理、音量調整などを施され、オーディオ出力部１２５に供給される。オーディオ出力部１２５は、スピーカシステムに応じたステレオ分離処理などを実行し、出力をスピーカ１２６に供給する。
【００１９】
ＴＳ処理部１２２においてパケット列から分離された、映像データを含む映像パケットは、映像デコーダ１３１に入力されて、符号化方式に応じた復号化が実施される。映像デコーダ１３１でデコードされた映像データは、映像データ処理部１３２において、同期処理、輝度調整、色調整などが実施される。映像データ処理部１３２の出力は、映像出力部１３３に供給される。
【００２０】
映像出力部１３３は、例えば、制御部２００からのデータ、図形、番組表をメイン映像信号に多重することができる。また映像出力部１３３は、出力映像信号に対して表示器１３４に応じたスケール、解像度、ライン数、アスペクト比などを設定して、表示器１３４に出力する。
【００２１】
なお、有料番組のオーディオパケットと映像パケットとが暗号化されている場合もある。この場合、鍵情報を用いて暗号化を解くための処理系統もあるが、ここでは省略している。
【００２２】
制御部２００は、中央演算処理ユニット（ＣＰＵ）２０１、コマンド処理部２０２、通信制御部２０３、デバイス管理部２０４、表示制御部２１１、オンスクリーンディスプレイ（ＯＳＤ）ブロック２１２、メモリ２１３などを含む。
【００２３】
図１には示していないが、制御部２００は、ＥＰＧデータを用いて作成した番組表信号を生成するＥＰＧデータ処理部、記憶装置１１１に信号を記録するまたは記憶装置１１１から信号を再生するための記録再生制御部などを含む。
【００２４】
ＣＰＵ２０１は、制御部２００の全体の動作シーケンスの調整を行っている。コマンド処理部２０２は、外部から入力される操作コマンドを解析し、コマンドに応じた動作をテレビジョン受信装置１００に反映させることができる。デバイス管理部２０４は、制御部２００に対して操作信号を与える携帯端末５００、リモートコントローラ１１５などのデバイス識別データを格納している。
【００２５】
表示制御部２１１は、ＯＳＤブロック２１２を介して、映像出力部１３３に、番組表信号や、メニュー映像信号を供給することができる。また表示制御部２１１は、画像信号の解像度、表示サイズ、表示エリアなどの調整処理を行うこともできる。
【００２６】
メモリ２１３は、制御部２００内で保存する各種のデータ、アプリケーションなどを保存することができる。
【００２７】
通信制御部２０３は、外部との通信を行い、操作コマンド、データ、コンテンツ、などを取り込むことができる。取り込まれたコンテンツ、及びデータは、例えば記憶装置１１１、或いはメモリ２１２に格納されることができる。通信制御部２０３は、電子機器１００から外部に向けて、データ、コンテンツ、などを送信することができる。例えば、通信制御部２０３は、番組リスト生成部３１０で生成された番組リストのデータを、スマートフォンやタブレットといった外部の携帯端末５００に送信可能である。
【００２８】
通信制御部２０３は、受信部（近距離通信部１１２および遠隔通信部１１３）と接続されている。近距離通信部１１２は、携帯端末５００との間でデータの送受信を行うことができ、近距離通信用である。携帯端末５００の指示入力部に指示を入力することにより、システム１００の動作を制御することができる。携帯端末５００には、映像データおよび音声データとともに、番組リスト生成部３１０で作成した番組リストを送信して表示することが可能である。
【００２９】
遠隔通信部１１３は、インターネットを介して、遠隔サーバ、或いはホームサーバ、或いはクラウドサーバとの間でデータの送受信を行うことができる。遠隔通信部１１３は、無線または有線（光ケーブル・ローカルエリアネットワーク）を介して遠隔サーバなどと通信が行われる。遠隔サーバは、遠隔通信部が送られてくる命令信号を受信する受信部３４０を有する。
【００３０】
また、システム１００は、リモートコントローラ１１５からの操作信号を、受信部（リモートコントローラ通信部１１４）を介して受け取ることもできる。リモートコントローラ１１５にも、携帯端末５００と同様に指示入力部が設けられている。
【００３１】
上記の携帯端末５００は、図示しない基地局、インターネットなどを介してサーバにアクセスすることができる。サーバが提供するコンテンツは勿論のこと、各種のアプリケーション、ゲームソフトなどをダウンロードし、近距離通信部１１２を介して、制御部２００に転送することが可能である。
【００３２】
また携帯端末５００は、コンテンツや各種の提供情報を取得するための情報（例えばウェブサーバのアドレス、メールアドレス、ネットワークアドレスなど）を、近距離通信部１１２を介して、制御部２００に転送することが可能である。なお携帯端末５００は、例えばウェブサーバのアドレス、メールアドレス、ネットワークアドレスなどを、基地局、ネットワークＮｅｔｗを介して制御部２００に転送してもよい。
【００３３】
上記したウェブサーバのアドレス、メールアドレスなどを利用し、通信制御部２０３は、遠隔通信部１１３を介して、例えば番組に関連した情報などを取得することができる。
【００３４】
携帯端末５００からコンテンツ、アプリケーション、或いはゲームソフトが転送されてくるときは、制御部２００に設けられた通信制御部２０３が動作する。
【００３５】
通信制御部２０３は、受け取ったコンテンツをメモリ２１３に格納する。コンテンツは、操作コマンドに応じて又は自動的に、記憶装置１１１に格納されてもよい。記憶装置１１１は、受け取ったコンテンツを例えばハードディスクに記録させることができる。ハードディスクにおいては、コンテンツはコンテンツファイルとして管理される。
【００３６】
表示用のメニュー映像信号、番組表信号などは、表示制御部２１１により制御される。メニューの表示、番組表の表示が行われるときは、メニュー画面データ、番組表信号が、表示制御部２１１の制御に基づき、ＯＳＤブロック２１２から読み出され、映像出力部１３３に供給される。これにより、メニュー画像や番組表画像が表示器１３４に表示される。メニュー画面データ、番組表信号は、表示制御部２１１の制御に基づき、データ格納部（メモリ或いはハードディスク）から読み出される場合もある。
【００３７】
表示用のメニュー映像信号、番組表信号などは、携帯端末５００に送信されることもできる。携帯端末５００がメニュー映像信号、番組表信号などを要求した場合、表示制御部２１１は、メニュー映像信号、番組表映像信号を携帯端末５００に送信することができる。
【００３８】
携帯端末５００は、メニュー映像信号、番組表映像信号をタッチ式パネルの画面に表示することができる。ユーザは、タッチ（またはポイント）式パネルの画面に表示された操作ボタンに触れることにより、電子機器に動作指令信号を与えることができる。
【００３９】
第１の実施形態に係るシステムが有する制御部２００は、処理部（番組リストを生成する機能、嗜好情報と関連づけられた番組情報をメモリ２１３に格納する記憶制御機能を有する）３３０を更に含む。
【００４０】
処理部３２０は、番組表の情報から、所定の嗜好情報に関連した複数の番組の番組情報をメモリ２１３に格納する。例えば、処理部３２０は、ＥＰＧデータと所定の嗜好情報とに基づいて、放送予定の番組をユーザの嗜好度が高い順に並び替え、番組の嗜好順序に関する情報をメモリ２１３に格納する。所定の嗜好情報は、例えば、ユーザの番組視聴履歴、外部情報検索履歴、ショッピング履歴、電子メールなどの通信履歴、ユーザがインターネット上にアップしたテキストや画像などと関連づけられた情報である。ＥＰＧデータは、チューナが取得したＴＳの中に含まれているデータから取得してもよく、ネットワークを介して外部サーバから取得してもよい。メモリ２１３に格納されている情報は、例えば、放送番組の視聴または録画番組の再生を終えるたびに更新されてもよく、定期的かつ自動的に更新されてもよく、ユーザの指示によって手動で更新されてもよい。
【００４１】
一方、処理部３３０は、指示入力を受け付けた時点で、メモリ２１３に格納されている複数の番組情報の中から選択された複数の番組情報と、現在放送中および／または所定の時間以内に放送開始する少なくとも１つの番組情報とに関連したおすすめ番組リストを生成する。ここで、「所定の時間以内に放送開始」とは、例えば、３分、５分、１０分または３０分以内に放送が開始されることを指すか、または、現在放送されている番組の放送時間帯の、次の時間区分に放送が開始されることを指す。しかし、この「所定の時間」は一例であり、３分、５分、１０分または３０分に限定されない。またこの「所定の時間」は、ユーザが調整可能であってもよい。この場合、例えば表示器１３４或いは携帯端末５００において表示されるメニュー画面に、前記「所定の時間」の調整項目が設けられる。
【００４２】
図２および図３は、実施形態のシステム１００が表示するおすすめ番組リストの例である。このおすすめ番組リストは、例えば携帯端末５００の操作画面に表示される「おすすめ番組ボタン」、或いはリモートコントローラ１１５に設けられる「おすすめ番組ボタン」が操作されることにより、表示される。
【００４３】
図２は、表示器１３４の画面に表示されたおすすめ番組リストの例である。この画面では、例として、上左側にタイトル「あなたへのおすすめ番組リスト」が表示され、上右側にタイトル「現在時刻  １０：２０」が表示されている。
【００４４】
１つの番組の情報は、「放送時間」、「放送局名」および「番組名」からなるセットであり、それぞれの項目が１つの行に並んで表示されている。そして第１列１３４ａに放送時間、第２列１２３ｂに放送局名、第３列１３４ｃに番組名が表示されている。図の例では、７つのおすすめ番組が上から順に時系列で表示されており、一番上には、現時点で視聴可能なユーザの嗜好に適したおすすめ番組が表示されている。おすすめ番組リストは、リモートコントローラ１１５または携帯端末５００からのスクロール操作入力により、さらに別のおすすめ番組が表示されてもよい。この場合、番組リストの一番上の行に表示されている「現時点で視聴可能な番組」の項目は、スクロール変化せず常時表示される。具体的には、スクロール操作をした場合、「現時点で視聴可能な番組」に関する情報のみ変更されず、２番目以降の行に表示されている番組の情報が変更されてもよく、「現時点で視聴可能な番組」のうち、別の番組の情報に変更されてもよい。
【００４５】
ここで、番組リストの一番上の行に表示された番組の放送時間を見ると、この番組は、時間帯１０：００−１１：００に放送される番組である。現在時刻は１０：２０であるから、この番組は、既に放送が開始されて２０分が経過していることを意味する。
【００４６】
ユーザは、この番組リストを表示したとき、すぐに番組を視聴したい場合、次の操作を行う。即ち、ユーザは、リモートコントローラ１１５或いは携帯端末５００を操作し、放送時間帯１０：００−１１：００の番組の情報が表示された行に、カーソルを合わせて、決定ボタンを押す。図の例の場合、この操作により、番組「情報バラエティー」の視聴が可能となる。
【００４７】
上記のように、本システムでは、ユニークな処理部３３０を有し、すぐに視聴可能なおすすめ番組リストを提供することができる。番組がすぐに視聴可能であるか否かは、現在時刻と番組情報（放送時間）との比較を行うことにより、判断することができる。
【００４８】
単純に、ユーザの嗜好の優先度が高い番組の番組リストのみを生成すると、例えば、第２行から第６行に示されるような時間帯（現在時刻から数時間も後の時間帯）の番組のみが表示されることがある。このような場合、ユーザは、今、時間の余裕があるにも関わらず、好みの番組を視聴するために数時間も待たされる可能性がある。
【００４９】
しかし本システムでは、仮にすぐに視聴可能な番組の優先度が他の時間帯の番組の優先度より低い場合であっても、すぐに視聴可能な番組をリストに表示させることができる。
【００５０】
上記の例では、すぐに視聴可能な番組として１つの番組を表示したが、複数の番組が表示されてもよい。または、チャンネル別（放送局別）に、すぐに視聴可能な番組が複数表示されてもよい。
【００５１】
図３では、おすすめ番組リストの他の例を示す図である。この例でも、おすすめ番組が上から順に時系列で表示されている。図２に示したおすすめ番組リストとの違いは、一番上の行に、次の時間区分（１１：１０−１２：００）に放送開始されるおすすめ番組が表示されている点である。つまりこの時間区分（１１：１０−１２：００）は、現在時刻１０：２０よりも未来であって、現在時刻１０：２０に近い次の時間区分に放送される番組の視聴選択枝を提供している。
【００５２】
もし、図２に示したように現在時刻１０：２０に対して、時間区分（１０：００−１１：００）の番組の情報が表示され、ユーザが、この番組の視聴を決定したとすると、ユーザは、すでに放送開始されている番組を途中から視聴することになる。しかしユーザは、番組の途中から視聴することを希望しない場合がある。そこで、図３の実施形態では、現在時刻１０：２０に近い次の時間区分に放送される番組の視聴選択枝を提供している。
【００５３】
図２の番組リストの表示形態と、図３の番組リストの表示形態とは、切替え操作できるようにしてもよいことは勿論である。即ち、図２の番組リストの表示がなされたとき、ユーザは、例えばリモートコントローラ１１５、携帯端末５００などの、例えば「次候補」ボタンを操作し、図３の番組リストを表示させるようにしてもよい。
【００５４】
また、すぐに視聴可能な番組として１つの番組を表示したが、複数の番組が表示されてもよい。或いは、チャンネル別（放送局別）に、すぐに視聴可能な番組が複数表示されてもよい。また、これらの番組情報の表示領域は、他の番組の表示領域とは異なる色で表示されるようにしてもよい。
【００５５】
以下に、図４を参照しながら、ユーザがおすすめ番組リストを表示するよう指示をしてから、表示器におすすめ番組リストが表示されるまでのシステムの動作を説明する。
【００５６】
メモリ２１３は、各種の番組情報（放送時間帯、放送局名、番組名など）を格納している。メモリ２１３に格納される番組情報は、ＥＰＧデータと、ユーザの番組嗜好性を判断するための嗜好性判断情報とに基づいている。格納された番組情報は、ユーザへのおすすめ番組リストを生成するためのものである。
【００５７】
嗜好性判断情報の作成方法は、各種の技術が過去に提供されている。例えば、番組の視聴履歴（シリーズ番組の視聴回数、番組の視聴時間などの情報を含む）、TVショッピング履歴情報（好みの俳優、ジャンルなどの判断材料）などに基づいて、システムのユーザの嗜好性判断情報が生成される。
【００５８】
表示器１３４におすすめ番組リストが表示されるには、まず、ユーザが自分の嗜好に適した番組を見るために、指示入力を行う。指示入力は、例えば、リモートコントローラ１１５または電子機器と近距離通信をしている携帯端末５００のパネル上に設けられたボタンを押下またはタッチすることによって行う。
【００５９】
リモートコントローラ通信部１１４または近距離通信部１１２（これらは受信部と称しても良い）を介して、制御部２００が上記指示入力を検出する。すると、格納部３２０に格納されている情報に基づいて、番組リスト生成部３１０がおすすめ番組リストを生成する。
【００６０】
続いて、表示制御部２１１は、ＯＳＤ２１２を介して、生成されたおすすめ番組リストのデータ信号を映像出力部１３３へ出力する。表示器１３４は、映像出力部１３３から出力された信号に基づいて、おすすめ番組のリスト（図２及び又は図３に示した）を画面に表示することができる。
【００６１】
このようにして、第１の実施形態のシステムは、ユーザの指示入力を受け付けると、指示入力を受け付けた時点で、現在放送中および／または数分以内および／または１時間より短い時間に放送が開始され、かつユーザの嗜好に適したおすすめ番組をすくなくとも１つ含むおすすめ番組リストを表示器に表示する。
【００６２】
なお、処理部３３０は、現時点よりも未来の時間帯を複数に区分し、区分されたそれぞれの時間区分毎におすすめ番組が表示された、おすすめ番組リストを生成するようにしてもよい。こうすると、ユーザは、ある時間区分にテレビを視聴したい場合、必ずその時間区分のおすすめ番組を確認することができる。
【００６３】
図５は、１０：００〜１７：００までを１時間毎に７つの区分にわけて、各時間区分毎におすすめの番組が表示されたおすすめ番組の例である。この場合であっても、おすすめ番組リストの一番上には、現時点で直ちに視聴可能なおすすめ番組が表示されている。
【００６４】
図５に示したおすすめ番組リストの例では、各時間区分に最もおすすめ度の高い番組が１つ抽出されて表示されているが、スクロール指示を入力することによって、２番目におすすめ度が高い番組が表示されるように、おすすめ番組リストを切り替えることができてもよい。更には、スクロール指示の入力を繰り返すことによって、おすすめ番組リストに表示されている番組のおすすめ度を順次切り替えることができてもよい。
【００６５】
図６は、２番目におすすめ度が高い番組を表示しているときのおすすめ番組リストの例である。図６に示したおすすめ番組リストは、図５に示した１番目におすすめ度が高い番組の番組リストから、２番目におすすめ度が高い番組の番組リストへ番組リスト全体が変化したものである。しかし、このような切り替え方法に限らず、１行分（選択した時間区分内）の番組情報のみがスクロール指示されるようにしてもよい。
【００６６】
図５と図６の画面では、上記のように、おすすめ度が切り替えられたとき、現在第何番目のおすすめ度の番組リストが表示されているのかを示す、インジケータ１３４ｅが表示されても良い。
【００６７】
図６では、現在表示しているおすすめ番組リストが、２番目におすすめ度の高い番組を表示していることがわかるように、２と表示された箇所が色づけられている。このように、現在何番目におすすめ度が高い番組をおすすめ番組リストに表示しているかわかるように、おすすめ度を表した数字が表示された箇所が色づけられるようにしてもよい。
【００６８】
また、処理部３３０は、おすすめ番組リストを表示するように指示入力されたときの時刻に応じて、おすすめ番組リストの表示形態を変えるようにしてもよい。例えば、ユーザによっては、夕方から夜にかけては、昼間よりもテレビを視聴する機会が多い。従って、例えば、１６：００〜１８：００におすすめ番組リストの表示を指示した場合、全ての時間区分においておすすめ番組を確認できるように、各放送時間毎におすすめ番組を表示してもよい。この場合も、上記したように、スクロール指示によっておすすめ番組のおすすめ度を切り替えられるようにしてもよい。
【００６９】
図７は、おすすめ番組リストを表示するように指示入力した現在時刻が１６：３０のときのおすすめ番組リストの例である。なお、この例でも、おすすめ番組リストの一番上には、直ちに視聴可能なおすすめ番組が表示されている。上で説明したように、夕方以降などのテレビを視聴する機会が多い時間区分のうち、おすすめ番組を必ず確認したい時間区分がある場合、処理部３３０の設定を上記のようにするとユーザの利便性が向上する。
【００７０】
なお、朝や深夜では、ユーザは現在放送されている番組に続く番組を視聴しないことが多い。それ故、おすすめ番組リストを表示するように指示入力した時刻が朝、夜または深夜の場合、現在放送中の番組の次の時間帯に放送される番組および更にその次の時間帯に放送される番組をおすすめ番組リストに含めず、他の時間帯に放送される番組情報を番組リストに含めてもよい。具体的には、朝６：００〜８：００、夜１０：００〜１２：００、深夜００：００〜２：００に上記おすすめ番組リストの表示を行ってもよい。上記時間帯は一例であり、朝、夜および深夜がこれらの時間帯に限定されないことは勿論である。
【００７１】
（第２の実施形態）
図８は、第２の実施形態のシステム１００の構成を示した図である。このシステム１００は、処理部３３０及びおすすめ番組リストのデータを要求する信号を外部から受信する受信部３４０が遠隔のサーバ４００内に設けられ、遠隔通信部１１３を介しておすすめ番組リストのデータを外部のサーバ４００からダウンロードする仕様である。他の部分は、第１の実子形態のシステム１００と同様の構成となっている。第２の実施形態のシステム１００では、ユーザの嗜好情報は、通信制御部２０３を介してサーバ４００内に設けられた嗜好情報記憶媒体へ送信される。ユーザの嗜好情報は、サーバ４００内の処理部３３０が、おすすめ番組リストを生成する際に、遠隔通信部１１３を介して都度送信されるようにしてもよい。
【００７２】
図９は、第２の実施形態のシステム１００において、おすすめ番組リストを表示するように指示入力がなされてから表示器におすすめ番組リストを表示するまでの動作を示した図である。図９において、破線枠内は、外部サーバ４００を表している。この場合であっても、第１の実施形態で説明したのと同様のおすすめ番組リストを表示器１３４に表示することができる。従って、ユーザに利便性の高い番組情報を提供することが可能である。
【００７３】
以上説明してきたように、第１〜第２の実施形態のシステムは、ユーザの指示入力を受け付けると、指示入力を受け付けた時点で、現在放送中および／または数分以内および／または１時間より短い時間内に放送が開始され、かつユーザの嗜好に適したおすすめ番組をすくなくとも１つ含むおすすめ番組リストを表示器に表示する。その結果、ユーザは、直ちにまたは所定の時間以内に視聴可能であり且つ自分の嗜好にあった番組を簡単に確認することができる。換言すると、ユーザは、自分の好みの番組を探す手間をかけずに、すぐに好みの番組を視聴できる。即ち、実施形態のシステムは、従来のおすすめ番組リストと比較して、より利便性の高い番組情報をユーザに提供可能である。
【００７４】
なお、第１〜第２の実施形態を通して、録画番組またはビデオオンデマンド（ＶＯＤ：Video On Demand）を視聴中の場合には、上記したおすすめ番組リストの表示機能は実行されないように制御されてもよい。
【００７５】
また、おすすめ番組リストは、ユーザの嗜好性を持ち且つジャンル別の番組リストが準備されていてもよい。ジャンルは、例えばドラマ、ニュース、スポーツ、音楽（クラシック、ポピュラー、ジャズ）などである。そして、ジャンル別の番組リストに切り替え可能であってもよい。
【００７６】
さらにまた、ユーザがおすすめ番組リスト表示のための操作を行ったときの状況に応じて、提示するおすすめ番組リストの種類が異なる機能を設けても良い。
【００７７】
例えば、ユーザが番組Ａを視聴している途中で、おすすめ番組リスト表示のための指示入力を行った場合、ユーザは、番組Ａに対する嗜好性のレベルが低い可能性がある。このような場合は、おすすめ度の高い番組リストに切り替えるとよい。
【００７８】
また、番組Ｂが終了した時点でユーザが番組リスト表示のための指示入力を行った場合、ユーザは、番組Ｂに対する嗜好性は高いレベルであったが、番組Ｂの次に開始される番組Ｃに対する嗜好性のレベルは低い場合がある。このような場合、番組Ｃを含む番組リストを避けて、他の番組リストを表示することも有用である。
【００７９】
さらには、番組Ｄの広告放送時間帯において、ユーザが番組リスト表示のための指示入力を行った場合、番組Ｄに対するユーザの嗜好性のレベルは比較的高いが、同じ時間帯で更に嗜好性のレベルが高い番組が放送されていないかどうか確認している可能性がある。このような場合、番組Ｄを含む番組リストを避けて、おすすめ度の高い別の番組リストに切り替えるとよい。
【００８０】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８１】
１００…システム、１０２…デジタルチューナ装置
１１１…記憶装置、１１２…近距離通信部
１１３…遠隔通信部、１１４…リモートコントローラ通信部、１１５…リモートコントローラ
１２２…ＴＳ処理部、１２３…オーディオデコーダ
１２４…オーディオデータ処理部、１２５…オーディオ出力部、１２６…スピーカ
１３１…映像デコーダ、１３２…映像データ処理部、１３３…映像出力部
１３４…表示器、２００…制御部、２０１…ＣＰＵ、２０２…コマンド処理部
２０３…通信制御部、２０４…デバイス管理部、２１１…表示制御部
２１２…ＯＳＤ、２１３…メモリ、３３０…処理部、３４０…受信部
４００…サーバ、５００…携帯端末
【図１】
2015228583.tif 000003
【図２】
2015228583.tif 000004
【図３】
2015228583.tif 000005
【図４】
2015228583.tif 000006
【図５】
2015228583.tif 000007
【図６】
2015228583.tif 000008
【図７】
2015228583.tif 000009
【図８】
2015228583.tif 000010
【図９】
2015228583.tif 000011